(57)【要約】【課題】バッテリーが装着された状態で外力が加わった場合にバッテリーおよび充電装置に無理な力がかかることを防止する。【解決手段】充電装置１００は、充電ケース５２に設けられたバッテリー収容空間５４と、バッテリー収容空間５４に設けられた充電用端子５６とを備えている。充電ケース５２は、下部ケース５８と、下部ケース５８とは別体の上部ケース６０とで構成されている。充電ケース５２には、下部ケース５８と上部ケース６０とを係脱可能に結合すると共にバッテリー収容空間５４に挿入されたバッテリー２に上方への力が加わった際にこの力がバッテリー２から上部ケース６０に伝達されることで下部ケース５８と上部ケース６０との結合を解除する係脱機構が設けられている。【選択図】図１１
2006136124.tif 000002
【特許請求の範囲】
【請求項１】
前後方向の長さを有しその前端にバッテリー端子が設けられたバッテリーを充電する充電装置であって、
前記充電装置は、充電回路が収容され前面および後面を有する充電ケースと、前記充電ケースに前記前面に開放状に設けられ前記前面の開放された部分から前記後面に向かって延在し前記バッテリーがその長さ方向に挿入されるバッテリー収容空間と、前記バッテリー収容空間の延在方向の端部に設けられ前記充電回路に接続されて前記バッテリー端子に挿脱可能に接触する充電用端子とを備え、
前記充電ケースは、前記バッテリー収容空間にバッテリーが挿入された状態で、前記バッテリーが下方に臨む部分に対面する全ての箇所を含んだ下部ケースと、前記下部ケースとは別体で前記バッテリーが上方に臨む部分に対面する全ての箇所を含んだ上部ケースとで構成され、
前記下部ケースと上部ケースとを係脱可能に結合すると共に前記バッテリー収容空間に挿入された前記バッテリーに上方への力が加わった際にこの力が前記バッテリーから前記上部ケースに伝達されることで前記下部ケースと上部ケースとの結合を解除する係脱機構が設けられている、
ことを特徴とする充電装置。
【請求項２】
前記充電用端子は、前記下部ケースに設けられ上部が前記上部ケースにより閉塞され前記バッテリー収容空間方向に開放状の空間部を形成する壁部と、前記壁部の幅方向に間隔をおいた複数箇所からそれぞれ突設され前記空間部内で上下に延在し前記バッテリー端子を構成する複数の接片に接触可能な複数の接片により構成されていることを特徴とする請求項１記載の充電装置。
【請求項３】
前記バッテリーは、前記前後方向に対して直交する幅方向の両端に位置する２つの側面を有し、前記バッテリー収容空間は、前記バッテリーの２つの側面にそれぞれ臨む両側の側壁を有し、前記両側の側壁には、前記バッテリー収容空間側に開放状で前記バッテリー収容空間の延在方向に沿って延在するガイド溝が形成され、前記ガイド溝は、前記下部ケースの上部ケースへの合わせ面と前記上部ケースの下部ケースへの合わせ面に沿って延在形成されていることを特徴とする請求項１記載の充電装置。
【請求項４】
前記バッテリーは、前記前後方向に対して直交する幅方向の両端に位置する２つの側面を有し、前記バッテリー収容空間は、前記バッテリーの２つの側面にそれぞれ臨む両側の側壁を有し上方に開放状に形成され、前記両側の側壁には、前記バッテリー収容空間側に開放状で前記バッテリー収容空間の延在方向に沿って延在するガイド溝が形成され、前記ガイド溝は、前記下部ケースの上部ケースへの合わせ面と前記上部ケースの下部ケースへの合わせ面に沿って延在形成されていることを特徴とする請求項１記載の充電装置。
【請求項５】
前記バッテリーは、前記前後方向に対して直交する幅方向の両端に位置する２つの側面と、各側面に設けられた係合凹部とを有し、前記バッテリー収容空間は、前記バッテリーの２つの側面にそれぞれ臨む両側の側壁を有し、前記バッテリー収容空間にバッテリーが挿入され前記バッテリー端子と充電用端子とが接触した状態で前記係合凹部に係脱可能に係合する係合凸部が前記側壁の箇所で、かつ、前記下部ケースの上部ケースへの合わせ面の箇所に設けられていることを特徴とする請求項１記載の充電装置。
【請求項６】
前記バッテリーは、前記バッテリー端子が設けられた前面を有し、前記バッテリー収容空間は、前記バッテリの前面に臨む前壁を有し、前記充電用端子は前記前壁の部分に設けられ、前記下部ケースは、前記充電用端子が設けられた前記前壁の部分を有し、前記前壁の部分に、上部が前記上部ケースにより閉塞され前記バッテリー収容空間方向に開放状の空間部を形成する壁部と、前記壁部の幅方向に間隔をおいた複数箇所からそれぞれ突設され前記空間部内で上下に延在し前記バッテリー端子を構成する複数の接片に接触可能な複数の接片が設けられ、前記充電用端子はこれら空間部、壁部、複数の接片により構成されていることを特徴とする請求項１記載の充電装置。
【請求項７】
前記バッテリーは薄い矩形板状に形成され、前記バッテリーは、前記バッテリー端子が設けられた前面と、前記前後方向と直交する厚さの両端に位置する上面と下面と、前記前後方向および厚さ方向に対して直交する幅方向の両端に位置する２つの側面を有し、前記バッテリー収容空間は、前記バッテリーの上面に臨む上壁と、前記バッテリの前面に臨む前壁と、前記バッテリーの２つの側面にそれぞれ臨む両側の側壁と、前記バッテリーの下面に臨む下壁とを有し、前記上壁は前記上部ケースに形成され、前記前壁と両側の側壁と下壁は前記下部ケースに形成されていることを特徴とする請求項１記載の充電装置。
【請求項８】
前記充電回路は、前記充電用端子に前記バッテリーを充電するために必要な電源を供給するように構成され、前記上部ケースが前記下部ケースに結合された状態か、分離された状態かを検知するケース分離検知手段を設け、前記充電回路は、前記ケース分離検知手段によって前記上部ケースが前記下部ケースから分離されたことが検知されたときに、前記充電用端子に対する前記電源の供給を停止することを特徴とする請求項１記載の充電装置。
【発明の詳細な説明】
【技術分野】
【０００１】
本発明はバッテリーを充電する充電装置に関する。
【背景技術】
【０００２】
電源供給端子を有する薄板状のバッテリーを充電する充電装置として、バッテリーが挿入される収容空間を備え、その収容空間に前記バッテリーのバッテリー端子に接続する充電用端子が設けられたものが提案されている（例えば特許文献１参照）。
このような充電装置では、バッテリーの一部が収容空間に収容され残りの部分が充電装置の外方に突出した状態となっている。
【特許文献１】特開平９−１２０８４４号公報
【発明の開示】
【発明が解決しようとする課題】
【０００３】
したがって、このような充電装置でバッテリーを充電している際に、充電装置から突出したバッテリーの部分に物がぶつかるなどして過大な力が加わった場合、バッテリーおよび充電装置に、あるいは、バッテリー端子および充電用端子に無理な力が作用するおそれがある。
本発明はこのような事情に鑑みなされたものであり、その目的は、バッテリーが装着された状態で外力が加わった場合にバッテリーおよび充電装置に無理な力がかかることを防止する上で有利な充電装置を提供することにある。
【課題を解決するための手段】
【０００４】
上述の目的を達成するため、本発明は、前後方向の長さを有しその前端にバッテリー端子が設けられたバッテリーを充電する充電装置であって、前記充電装置は、充電回路が収容され前面および後面を有する充電ケースと、前記充電ケースに前記前面に開放状に設けられ前記前面の開放された部分から前記後面に向かって延在し前記バッテリーがその長さ方向に挿入されるバッテリー収容空間と、前記バッテリー収容空間の延在方向の端部に設けられ前記充電回路に接続されて前記バッテリー端子に挿脱可能に接触する充電用端子とを備え、前記充電ケースは、前記バッテリー収容空間にバッテリーが挿入された状態で、前記バッテリーが下方に臨む部分に対面する全ての箇所を含んだ下部ケースと、前記下部ケースとは別体で前記バッテリーが上方に臨む部分に対面する全ての箇所を含んだ上部ケースとで構成され、前記下部ケースと上部ケースとを係脱可能に結合すると共に前記バッテリー収容空間に挿入された前記バッテリーに上方への力が加わった際にこの力が前記バッテリーから前記上部ケースに伝達されることで前記下部ケースと上部ケースとの結合を解除する係脱機構が設けられていることを特徴とする。
【発明の効果】
【０００５】
そのため、バッテリーが充電装置に挿入された状態で、バッテリーに物がぶつかるなどしてバッテリー収容空間に挿入されたバッテリーに上方への力が加わると、この力がバッテリーから上部ケースに伝達されることで係脱機構による下部ケースと上部ケースとの結合が解除される。したがって、バッテリーおよび充電装置、あるいは、バッテリー端子および充電用端子に無理な力が作用してこれらが破損することを防止することができる。
【発明を実施するための最良の形態】
【０００６】
充電ケースを、バッテリー収容空間にバッテリーが挿入された状態で、バッテリーが下方に臨む部分に対面する全ての箇所を含んだ下部ケースと、下部ケースとは別体でバッテリーが上方に臨む部分に対面する全ての箇所を含んだ上部ケースとで構成し、下部ケースと上部ケースとを係脱可能に結合すると共にバッテリー収容空間に挿入されたバッテリーに上方への力が加わった際にこの力がバッテリーから上部ケースに伝達されることで下部ケースと上部ケースとの結合を解除する係脱機構を設けることによって上記目的を実現した。
【実施例１】
【０００７】
次に本発明の実施例１について図面を参照して説明する。
図１は実施例１で用いる第１のバッテリー４の斜視図、図２（Ａ）は第１のバッテリー４の平面図、（Ｂ）は（Ａ）のＢ矢視図、（Ｃ）は（Ａ）のＣ矢視図、（Ｄ）は（Ａ）のＤ矢視図、図３（Ｅ）は図２（Ｄ）のＥ矢視図、（Ｆ）は（Ｅ）のＦ矢視図である。
図４（Ａ）は第１のバッテリー４の前面を示す図、（Ｂ）は（Ａ）のＢ矢視図である。
図５（Ａ）は第２のバッテリー６の前面を示す図、（Ｂ）は（Ａ）のＢ矢視図である。
本実施例では、バッテリー２として、図１、図５に示す第１のバッテリー４、第２のバッテリー６の厚さの異なる２種類のものが図７に示す充電装置１００に選択的に収容される。
まず、これら第１のバッテリー４、第２のバッテリー６について説明する。
図１〜図４に示すように、第１のバッテリー４は、薄い矩形板状のバッテリーケース１０と、バッテリーケース１０の内部に設けられた電池セル４０（図２０）と、バッテリーケース１０に設けられたバッテリー端子３０とを備えている。
図１に示すように、バッテリーケース１０は、前後方向の両端に位置する前面１０Ａおよび後面１０Ｂと、前後方向と直交する厚さ方向の両端に位置する上面１０Ｃおよび下面１０Ｄと、前後方向および厚さ方向に対して直交する幅方向の両端に位置する２つの側面１０Ｅとを有している。
各側面１０Ｅには幅方向の外方に断面形状が均一で長さ方向に延在するガイド壁１００２が膨出形成されている。
ガイド壁１００２の前面１０Ａ寄りの箇所に係合凹部１００４が形成されている。
ガイド壁１００２の後面１０Ｂ寄りの箇所にストッパ壁１００６が膨出形成されている。このストッパ壁１００６は、バッテリーの後面１０Ｂを充電装置１００に向けて充電装置１００に挿入できないようにしたものであり、いわゆる逆挿防止用の壁である。
【０００８】
図１５に示すように、バッテリー端子３０は、バッテリーケース１０の前面１０Ａに前方および下方に開放状の空間部３２を形成する壁部３４と、壁部３４の幅方向に間隔おいた箇所から突設され空間部３２内において上下方向に延在する複数の接片３６とで構成されている。
本実施例では、壁部３２の内側に、幅方向に間隔をおき下方に開放状の複数の溝が形成された端子構成用部材が取着され、前記複数の接片は、各溝の側面を形成するように配設されている。
各接片３６は、図１６に示す電池部４０の電池セル４２のプラス側端子およびマイナス側端子、通信部４４のデータ送受信用のデータ端子のそれぞれと接続されている。
【０００９】
次に第２のバッテリー６について説明する。
図５（Ａ）、（Ｂ）に示すように、第２のバッテリー６のバッテリーケース１０は、第１のバッテリー４と同様に、前面１０Ａおよび後面と、上面１０Ｃおよび下面１０Ｄと、２つの側面１０Ｅとを有している。
各側面１０Ｅには、第１のバッテリー４と同様に、ガイド壁１００２が膨出形成され、ガイド壁１００２には、係合凹部１００４と同形同大の係合凹部１００４が形成され、また、ストッパ壁１００６が形成されている。
図１５に示すように、バッテリー端子３０は、第１のバッテリーと同様に、バッテリーケース１０の前面１０Ａに前方および下方に開放状の空間部３２を形成する壁部３４と、壁部３４の幅方向に間隔おいた箇所から突設され空間部３２内において上下方向に延在する複数の接片３６とで構成され、本実施例では、壁部３２の内側に、幅方向に間隔をおき下方に開放状の複数の溝が形成された端子構成用部材が取着され、前記複数の接片は、各溝の側面を形成するように配設されている。
各接片３６は、図１４に示す電池部４０の電池セル４２のプラス側端子およびマイナス側端子、通信部４４のデータ送受信用のデータ端子のそれぞれと接続されている。
【００１０】
第１のバッテリー４のバッテリーケース１０と、第２のバッテリー６のバッテリーケース１０とは、幅と長さが等しく形成され、かつ、厚さが第１のバッテリー４のバッテリーケース１０よりも第２のバッテリー６のバッテリーケース１０が大きく形成されている。
第１、第２のバッテリー１、２に設けられたバッテリー端子３０は、同一の形状、構造で形成されており、それらの前面１０Ａに対する位置は、上下方向の寸法がそれらのガイド壁１００２を基準として同一の箇所に設けられ、また、左右方向の寸法が一方の側面１０Ｅを基準として同一の箇所に設けられている。
【００１１】
次に充電装置１００について説明する。
図６は充電装置１００およびバッテリーの斜視図、図７は充電装置１００およびバッテリーの着脱動作の説明図、図８、図９は充電装置１００に第１のバッテリー４が装着された状態を示す斜視図、図１０は充電装置１００に第２のバッテリー６が装着された状態を示す斜視図である。
図１１は充電装置１００の分解斜視図、図１２（Ａ）は充電装置１００の平面図、（Ｂ）は（Ａ）のＢ矢視図、（Ｃ）は（Ａ）のＣ矢視図、（Ｄ）は（Ａ）のＤ矢視図、図１３（Ｅ）は図１１（Ａ）のＥ矢視図、（Ｆ）は（Ｅ）のＦ矢視図である。
図１４は（Ａ）は充電装置１００の下部ケース５８の平面図、（Ｂ）は（Ａ）のＢ矢視図である。
図１５（Ａ）は充電装置１００の上部ケース６０の平面図、（Ｂ）は上部ケース６０の下面図である。
図１６は係脱機構の説明図、図１７はガイド溝５５の説明図である。
図１８（Ａ）は充電用端子の正面図、（Ｂ）は（Ａ）のＢ矢視図、（Ｃ）は（Ａ）のＣ矢視図である。
図１９（Ａ）、（Ｂ）は第１のバッテリー４のバッテリー端子３０と充電装置１００の充電用端子５６の説明図、（Ｃ）、（Ｄ）は第２のバッテリー６のバッテリー端子３０と充電装置１００の充電用端子５６の説明図である。
図２０は充電装置１００の制御系の構成を示すブロック図である。
【００１２】
図６に示すように、充電装置１００は、充電回路５０が収容された充電ケース５２と、充電ケース５２に設けられたバッテリー収容空間５４と、バッテリー収容空間５４に設けられた充電用端子５６とを備えている。
充電ケース５２は、前面５２０２、後面５２０４、上面５２０６、下面５２０８、左右の側面５２１０を備えており、バッテリー収容空間５４は、バッテリー２がその長さ方向に沿って挿入されるように前面５２０２から後面５２０４に向かって延在形成され、前面５２０２および上面５２０６に開放状に（前方および上方に開放状に）形成されている。
図１１に示すように、充電ケース５２は、バッテリー収容空間５４にバッテリー２が挿入された状態で、バッテリー２が下方に臨む部分に対面する全ての箇所を含んだ下部ケース５８と、下部ケース５８とは別体でバッテリー２が上方に臨む部分に対面する全ての箇所を含んだ上部ケース６０とで構成されている。
【００１３】
図６に示すように、バッテリー収容空間５４は、バッテリー２が挿入された際にバッテリー２の２つの側面１０Ｅにそれぞれ臨む両側の側壁５４０２と、バッテリー２の前面１０Ａに臨む前壁５４０４と、バッテリー２の底面１０Ｄに臨む底壁５４０６とを有している。なお、図中符号２００は、底壁５４０６に設けられた矩形の凹部、符号２０１はバッテリー２の挿入方向を示すマークである。
両側の側壁５４０２には、バッテリー収容空間５４側に開放状でバッテリー収容空間５４の延在方向に沿って延在しバッテリー２のガイド壁１００２が滑動可能に挿入されるガイド溝５５が形成されている。これらガイド溝５５が前面５２０２に臨む部分は、バッテリー２のガイド壁１００２が挿入されやすいように、上下方向の寸法が大きく形成されている。
ガイド溝５５は、下部ケース５８の上部ケース６０への合わせ面５８０１と上部ケース６０の下部ケース５８への合わせ面６００１に沿って延在形成されている。
より詳細には、図１７に示すように、ガイド溝５５は、下壁５５０２と、上壁５５０４と、側壁５５０６とで構成され、下壁５５０２と側壁５５０６部分が下部ケース５８に形成され、上壁５５０４が上部ケース６０に形成されている。
【００１４】
図６、図１１〜図１４、図１８に示すように、充電用端子５６は、充電回路５０に接続され、バッテリー収容空間５４の前壁５４０４の部分に設けられ、この充電用端子５６が設けられた前壁５４０４の部分は下部ケース５８に設けられている。
図１８、図１９に示すように、充電用端子５６は、下部ケース５８に設けられ上部が上部ケース６０により閉塞されバッテリー収容空間５４方向に開放状の空間部６２を形成する壁部６４と、壁部６４の幅方向に間隔をおいた複数箇所からそれぞれ突設され空間部６２内で上下に延在しバッテリー端子３０の複数の接片３６に接触可能な複数の接片６６により構成されている。本実施例では複数の接片６６は、空間部６２の底面６２０２および背面６２０４から突設されている。
また、図１８に示すように、前壁５４０４には、常時前壁５４０４から突出するとともに、バッテリー２の前面１０Ａに当接することで前壁５４０４の内側に没入し、バッテリー２が装着されたことを検知するバッテリー検知スイッチ６８が設けられている。
【００１５】
図７、図１１に示すように、バッテリー収容空間５４にバッテリー２が挿入されバッテリー端子３０と充電用端子５６とが接触した状態で係合凹部１００４に係脱可能に係合し、バッテリー２の装着状態を安定させるための係合凸部７０が側壁５４０２の箇所で、かつ、下部ケース５８の上部ケース６０への合わせ面５８０１の箇所に設けられている。
本実施例では、図１４に示すように、合成樹脂から構成された弾性を有する湾曲片７２が設けられ、この湾曲片７２の長手方向の一端７２０２が下ケースの上面に溶着により固定され、湾曲片７２の他端７２０４が下ケース５８の上面の係止壁５８０２に係止され、湾曲片７２の長手方向の中間部に設けた係合凸部７０が側壁５４０２の切り欠き５４０３を通してバッテリー２の係合凹部１００４に係合するように構成されている。
【００１６】
さらに、充電ケース５２には、下部ケース５８と上部ケース６０とを係脱可能に結合すると共にバッテリー収容空間５４に挿入されたバッテリー２に上方への力が加わった際にこの力がバッテリー２から上部ケース６０に伝達されることで下部ケース５８と上部ケース６０との結合を解除する係脱機構が設けられている。
本実施例では、前面５２０２をなす下部ケース５８の壁部の上端の２箇所、左右の側面５２１０をなす下部ケース５８の壁部の上端の２箇所、後面５２０４をなす下部ケース５８の壁部の上端の３箇所に、図７、図１１に示すように、凹部５２２０が設けられている。
より詳細には、下部ケース５８の前面、左右の側面、後面の上端は、図１１、図１４、図１６に示すように、他の部分に比べて下部ケース５８の内側に偏位した壁部５８１８として構成され、凹部５２２０はこれらの壁部５８１８に形成されている。
また、前面５２０２をなす上部ケース６０の壁部の下端の２箇所、左右の側面５２１０をなす上部ケース６０の壁部の下端の２箇所、後面５２０４をなす上部ケース６０の壁部の下端の３箇所に、図１５、図１６に示すように、凹部５２２０に係脱可能な凸部６０２０が設けられている。
より詳細には、上部ケース６０は、図１２、図１３、図１６に示すように、上面５２０６を形成する上壁６００２と、この上壁６００２の周囲から下方に延在する周壁６００４とで構成されており、凸部６０２０はこれら周壁６００４の内面の箇所に設けられている。
本実施例では、これら凹部５２２０と凸部６０２０により係脱機構が構成されている。なお、このような係脱機構として従来公知の様々な構造が採用可能であり、バッテリー２の破損が防止されるように、バッテリー２の剛性などに応じてその結合強度などが適宜決定される。
【００１７】
図９、図１０、図１２、図１３に示すように、充電ケース５２の下面５２０８の溝５２２０に収納および露出可能に電源プラグ７４が設けられている。電源プラグ７４は部屋の壁面あるいはテーブルタップなどに設けられている交流電源のコンセントに差し込まれるものである。なお、図２１に示すように、電源プラグ７４に替えて、一端にコンセントに差し込まれる電源プラグ（不図示）が、他端に接続プラグ９００２がそれぞれ設けられた電源コード９０を用い、この電源コード９０の接続プラグ９００２が装着されるコネクタ９２を充電装置１００に設けるなど、電源供給の方式は任意である。
図２０に示すように、充電回路５０は、電源回路５００２、制御部５００４、電流制限回路５００６、電流制限スイッチ５００８、バッテリー検知スイッチ６８を備えている。
電源回路５００２は、電源プラグ７４を介して供給される交流電源からバッテリー２を充電するために必要な電圧、電流の直流電源を生成して出力するものであり、生成された直流電源は電流制限回路５００６を介してプラス側およびマイナス側の接片６６に供給される。また、電源回路５００２は、制御部５００４動作用の直流電源も生成している。
電流制限回路５００６は、電源回路５００２から供給される直流電源が入力される入力端５００６Ａと、入力端５００６Ａに入力された直流電源の電流を微小電流に制限してプラス側の接片６６に出力する出力端５００６Ｂとを有している。
電流制限スイッチ５００８は、入力端５００６Ａと出力端５００６Ｂとの間に接続され、制御部５００４からの制御に基づいてオン、オフするものである。
制御部５００４は、電源回路５００２から供給される直流電源によって動作を行うものであり、バッテリー検知スイッチ６８がバッテリー２の挿入を検知した状態では、電流制限スイッチ５００８をオンすることで電源回路５００２からの直流電源を接片６６に供給し、バッテリー検知スイッチ６８がバッテリー２の挿入を検知しない状態では、電流制限スイッチ５００８をオフすることで電流制限回路５００６で制限された微小電流を接片６６に供給するように構成されている。なお、前記微小電流は、接片６６間が短絡した場合でも充電回路５０に支障が生じない電流値に設定されている。
また、制御部５００４は、バッテリー２が充電装置１００に挿入され、バッテリー２のデータ送受信用のデータ端子の接片３６に接片６６が接続されると、これら接片３６、６６を介してバッテリー２の通信部４４とデータの通信を行うことで、電源回路５００２の電流値などを制御してバッテリー２に対して供給される充電電流を制御するように構成されている。
また、本実施例では、上部ケース５８が下部ケース６０に結合された状態か、切り離された状態かを検知する不図示のケース分離検知スイッチ（特許請求の範囲のケース分離検知手段に相当）が、例えば下部ケース６０の上壁に設けられており、制御部５００４は前記ケース分離検知スイッチが前記分離を検知すると、電源回路５００２の出力を停止させるように構成されている。
このようなケース分離検知スイッチは、例えば下部ケース６０の上壁から常時突出するとともに、下部ケース５８に結合された上部ケース６０の下壁に当接することで前記下壁内に没入されることで上部ケース６０が下部ケース５８に結合された状態を検知し、上部ケース６０が下部ケース５８から分離された際にケース分離検知スイッチが突出することで上部ケース６０が下部ケース５８から分離された状態を検知するように構成されている。
【００１８】
次に作用効果について説明する。
バッテリー２を充電する際には、図６、図８に示すように、バッテリー２の前面１０Ａ、両側側壁１０Ｅ、下面１０Ｄのそれぞれを充電装置１００のバッテリー収容空間５４の前壁５４０４、両側壁５４０２、底壁５４０６のそれぞれに臨ませ、バッテリー２のガイド壁１００２を充電装置１００のガイド溝５５に挿入し、バッテリー端子３０を充電用端子５６に接触させる。
この状態でガイド壁１００２の係合凹部１００４が係合凸部７０に係合し、バッテリー２の挿入状態が安定して保持され、バッテリー２の前面１０Ａによってバッテリー検知スイッチ６８がオンされる。
バッテリー２のバッテリー端子３０は、上述のようにガイド壁１００２と一方の側面１０Ｅを基準として設けられているので、厚さの異なる第１、第２のバッテリー４、６の装着が共に支障なく行われる。
これにより、制御部５００４の制御により電源回路５００２からの直流電源がバッテリー２に供給され充電動作が開始される。
バッテリー２の充電が終了した場合には、バッテリー２の後部を把持して充電装置１００の収容空間５４から抜去する。
【００１９】
また、図８に示すように、バッテリー２が充電装置１００に挿入された状態で、バッテリー２に物がぶつかるなどしてバッテリー収容空間５４に挿入されたバッテリー２に上方への力が加わると、この力がバッテリー２から上部ケース６０に伝達されることで前記係脱機構による下部ケース５８と上部ケース６０との結合が解除される。
本実施例では、バッテリー２の２つのガイド壁１００２からガイド溝５５の上壁５５０４に前記力が伝達されることにより凹部５８２０と凸部６０２０の係合が外れ、下部ケース５８に対して上部ケース６０が分離され、バッテリー２は上部ケース６０と共に下部ケース５８から取り外される。
したがって、バッテリー２および充電装置１００、あるいは、バッテリー端子３０および充電用端子５６に無理な力が作用してこれらが破損することを防止することができる。
【００２０】
また、本実施例では、前記ケース分離検知スイッチが下部ケース５８と上部ケース６０との分離を検知したことによって、制御部５００４によって電源回路５００２の出力が停止されるので、充電装置１００の充電用端子５６の各接片６０に充電用の電圧が印加されないため、導電性を有する物が複数の接片６０に接触して短絡したとしても充電装置１００の故障などを未然に回避することができる。
なお、本実施例では、前記ケース分離検知スイッチの検知動作によって電源回路５００２の出力を停止した場合について説明したが、このようなケース分離検知スイッチを省略してもよい。その場合には、下部ケース５８と上部ケース６０が分離した際にバッテリー２の前面１０Ａがバッテリー検知スイッチ６８から離間することでこのバッテリー検知スイッチ６８がオフするため、制御部５００４によって電流制限スイッチ５００８がオフされ電流制限回路５００６で制限された微小電流が充電用端子５６の接片６６に供給されることになる。この場合、仮に接片６６間が短絡しても前述したように充電回路５０には悪影響が生じないため支障はないが、本実施例のように前記ケース分離検知スイッチの検知動作によって電源回路５００２の出力を停止すれば電源回路５００２を含む充電回路５０に対する影響をより抑制する上で有利となる。
なお、図６、図８、図１０、図１１では、上部ケース６０の下縁が平坦な例を示しており、図９、図１２、図２１では、上部ケース６０の下縁の後部が下方に湾曲した例を示している。
【００２１】
次に実施例２について説明する。
実施例１と同様な箇所、部材に同一の符号を付して説明すると、実施例２では、バッテリー収容空間５４が収容すべきバッテリー２の厚さに対応した高さを持って構成されている。
詳細には、バッテリー収容空間５４は、バッテリー２の上面１０Ｃに臨む上壁５４２０と、バッテリー２の前面１０Ａに臨む前壁５４２２と、バッテリー２の２つの側面１０Ｅにそれぞれ臨む両側の側壁５４２４と、バッテリー２の下面１０Ｄに臨む下壁５４２６とを有している。
そして、上壁５４２０は上部ケース６０に形成され、前壁５４２２と両側の側壁５４２４と下壁５４２６は下部ケース５８に形成されている。
なお、バッテリー収容空間５４の前壁５４２２に充電用端子３０とバッテリー検知スイッチ６８が設けられていること、上部ケース６０と下部ケース５８とが前記係脱機構を介して結合されていることなどは実施例１と同様である。
このような実施例２によっても実施例１と同様な作用効果が奏される。
【図面の簡単な説明】
【００２２】
【図１】実施例１で用いる第１のバッテリー４の斜視図である。
【図２】（Ａ）は第１のバッテリー４の平面図、（Ｂ）は（Ａ）のＢ矢視図、（Ｃ）は（Ａ）のＣ矢視図、（Ｄ）は（Ａ）のＤ矢視図である。
【図３】（Ｅ）は図２（Ｄ）のＥ矢視図、（Ｆ）は（Ｅ）のＦ矢視図である。
【図４】（Ａ）は第１のバッテリー４の前面を示す図、（Ｂ）は（Ａ）のＢ矢視図である。
【図５】（Ａ）は第２のバッテリー６の前面を示す図、（Ｂ）は（Ａ）のＢ矢視図である。
【図６】充電装置１００およびバッテリーの斜視図である。
【図７】充電装置１００およびバッテリーの着脱動作の説明図である。
【図８】充電装置１００に第１のバッテリー４が装着された状態を示す斜視図である。
【図９】充電装置１００に第１のバッテリー４が装着された状態を示す斜視図である。
【図１０】充電装置１００に第２のバッテリー６が装着された状態を示す斜視図である。
【図１１】充電装置１００の分解斜視図である。
【図１２】（Ａ）は充電装置１００の平面図、（Ｂ）は（Ａ）のＢ矢視図、（Ｃ）は（Ａ）のＣ矢視図、（Ｄ）は（Ａ）のＤ矢視図である。
【図１３】（Ｅ）は図１１（Ａ）のＥ矢視図、（Ｆ）は（Ｅ）のＦ矢視図である。
【図１４】（Ａ）は充電装置１００の下部ケース５８の平面図、（Ｂ）は（Ａ）のＢ矢視図である。
【図１５】（Ａ）は充電装置１００の上部ケース６０の平面図、（Ｂ）は上部ケース６０の下面図である。
【図１６】係脱機構の説明図である。
【図１７】ガイド溝５５の説明図である。
【図１８】（Ａ）は充電用端子の正面図、（Ｂ）は（Ａ）のＢ矢視図、（Ｃ）は（Ａ）のＣ矢視図である。
【図１９】（Ａ）、（Ｂ）は第１のバッテリー４のバッテリー端子３０と充電装置１００の充電用端子５６の説明図、（Ｃ）、（Ｄ）は第２のバッテリー６のバッテリー端子３０と充電装置１００の充電用端子５６の説明図である。
【図２０】充電装置１００の制御系の構成を示すブロック図である。
【図２１】実施例１の変形例を示す斜視図である。
【図２２】実施例２の充電装置１００の斜視図である。
【符号の説明】
【００２３】
２（４、６）……バッテリー、１０Ａ……前面、１０Ｂ……後面、３０……バッテリー端子、５０……充電回路、５２……充電ケース、５４……バッテリー収容空間、５６……充電用端子、５８……下部ケース、６０……上部ケース、１００……充電装置。
【図１】
2006136124.tif 000003
【図２】
2006136124.tif 000004
【図３】
2006136124.tif 000005
【図４】
2006136124.tif 000006
【図５】
2006136124.tif 000007
【図６】
2006136124.tif 000008
【図７】
2006136124.tif 000009
【図８】
2006136124.tif 000010
【図９】
2006136124.tif 000011
【図１０】
2006136124.tif 000012
【図１１】
2006136124.tif 000013
【図１２】
2006136124.tif 000014
【図１３】
2006136124.tif 000015
【図１４】
2006136124.tif 000016
【図１５】
2006136124.tif 000017
【図１６】
2006136124.tif 000018
【図１７】
2006136124.tif 000019
【図１８】
2006136124.tif 000020
【図１９】
2006136124.tif 000021
【図２０】
2006136124.tif 000022
【図２１】
2006136124.tif 000023
【図２２】
2006136124.tif 000024